(57)【要約】      （修正有）【課題】寝たきり病人の下半身を、温水洗浄袋を使用して洗浄し、オムツ交換と寝返りが楽に出来、床ずれを防止する効果が有る介護用ベットを提供する。【解決手段】下半身の洗浄袋１により下半身を洗浄し、排水口４より排水ホ−ス５を、空気袋を使用したベットの側面に回して排水受け容器に排水し、排水口の止め栓を閉じ、温水温風挿入ファスナ−より手持ち温風機ノズルを挿入し、温風を吹き込み、サウナ効果を得て着脱ファスナ−を開き、下半身を乾燥する。空気袋を使用したベットを縦に二分割連結した袋の空気を交互に圧入、排出する事で、寝返りが楽に出来、横に三分割連結した、中間の空気袋の空気を排出、隙間が出来ることで、オムツ交換が楽に出来る、空気袋を使用した介護用ベットである。【選択図】図２
0003143985.tif 000002
【実用新案登録請求の範囲】
【請求項１】
寝たきり病人の、下半身の汚れを温水洗浄、温風乾燥して、病人の血液循環を良好するため、足より腰まで入る、下半身洗浄袋の上端内面の、腰廻り部分に撥水加工した、ウレタンホ−ムを接着、腰廻り部分の重ね合わせる、持ち出し部分に、面ファスナ−を貼付し、着脱出来る様にして、腰廻りに密着し、温水ホ−ス先端の、ノズルで温水を注ぎ掛け、洗浄するため洗浄袋の中央に、下端より、腰廻り部分に、着脱ファスナ−を装着、５センチ程間隔を離れた位置の並列に長さ１０センチ程の、温水ホ−スノズルと手持ち温風機のノズル挿入用ファスナ−を装着し、温水ノズルを挿入して、温水洗浄し、下半身洗浄袋の排水口より、排水ホ−スを介し洗浄水を排水、排水口に設置した開閉栓を閉じ温風を吹き込み、サウナ効果を得て、着脱ファスナ−を開き、温風で下半身を乾燥する、更に、下半身洗浄袋の下に敷く、空気袋を使用した、ベットは縦に三分割して、連結したの空気袋の側面に、逆流防止弁と分岐コック付開閉栓を設置、交互に空気を圧入、下半身の洗浄袋の着脱、病人の寝返りが楽に出来る横に三分割連結、空気ホ−スで空気を圧入する、空気袋を使用した、ベツトの側面に逆流防止弁と分岐コック付開閉栓を設置、縦に三分割連結した空気袋の中間袋の空気を排出する事で、尻の下の部分に隙間が出来、オムツ交換が楽に出来、下半身洗浄袋に設置した排水口の、開閉栓を開け排水ホ−スを、ベット側面より、排水受け容器に排水する、空気袋のベットの下に、更に、通常の、マット敷いて使用する、空気袋を使用した介護用ベット。
【考案の詳細な説明】
【技術分野】
【０００１】  本考案は、空気袋を使用したベットを、下半身洗浄袋の下に敷き、温水で洗浄し、手持ち温風機で下半身を乾燥、洗浄袋の排水口より洗浄水を排出して空気袋の空気を、空気ホ−ス介して排出して、オムツ交換が楽に出来る、空気ホ−スを空気ベットの側面と下端側面に設置、空気ポンプにより空気を圧入し排出して楽に、寝返りが出来る、空気袋を使用した介護用ベットに関する。
【背景技術】
【０００２】  従来は、寝たきり病人は、ベットの上に、布団を敷き、紙オムツを使用して寝かせて居るため、下半身が不潔になり、血液循環が不良になり、床ずれに、成る事が多い、この問題を解決するため、考案した、介護者の労力を減少する下半身洗浄袋と、空気袋を使用した介護用ベットの提供。
【考案の開示】
【考案が解決しようとする課題】
【０００３】  本考案は、寝たきり病人の、下半身の汚れを、清潔にする場合、紙オムツを取り除き温水タオル等で、下半身の汚れを拭き取り、下半身を清潔にするため風呂に入れる際にも、病人を抱き起こす事で、介護人の腰に負担が掛かり腰を痛める事が多い、寝たままで下半身の入浴効果が有る、介護者の労力を減少の効果と、床ずれ防止効果が有る、空気袋を使用した介護用ベット。
【課題を解決するための手段】
【０００４】  上述の、課題を解決するため、着脱ファスナ−を装着し、腰廻り内面に撥水加工した、ウレタンホ−ムを貼付、持ち出し部分に、面ファスナ−を貼付して腰廻り部分に着脱する、下半身洗浄袋を使用し、挿入用の、ファスナ−を開き温水ホ−スのノズルを挿入、下半身を温水洗浄、下半身洗浄袋の排水口に連結した排水ホ−スより、排水受け容器に排水、洗浄袋の排水口を閉じ温風を吹き込みサウナ効果を得、下半身洗浄袋の着脱ファスナ−を開き、温風を吹き込み下半身を乾燥する事で、血液循環が良くなり、床ずれ防止効果が有る、下半身洗浄袋の下に敷き使用する、空気袋を使用したベットは、縦に三分割連結した袋の下端と両側面に、逆流防止弁と分岐コック付止め栓を設置、交互に空気を圧入排出し、洗浄袋の着脱と病人の寝返りが楽に出来る、横に三分割連結した空気袋を使用、両側面に逆流防止弁と分岐コック付止め栓を設置、横に三分割連結した空気袋を使用したベット、中央の袋の空気を排出、尻の部分に隙間が出来る事で、オムツ交換が楽に出来、空気袋の両側面と、下端の側面に、空気ホ−スを設置して連結、分岐コック付き止め栓を使用、空気ホ−スより空気を圧入排出出来る、空気袋を使用した介護用ベット。
【考案の効果】
【０００５】  本考案は、寝たきり病人の、下半身を温水洗浄袋で洗浄、温風を吹き込みサウナ効果が得て、着脱ファスナ−を開き身体を乾燥する、下半身洗浄袋と、空気袋を使用した、ベットを、縦に三分割連結、横に三分割連結した空気袋に空気を圧入排出、下半身洗浄袋を装着し、下に敷く空気袋を使用したベットを使用、病人の血液循環を良好に出来る、縦に三分割、連結した空気袋を使用し洗浄袋の着脱と病人の寝返りが、楽に出来る効果が有り、空気圧入排出弁等を電子化すれば使用操作が楽に出来る、空気袋を使用した介護用ベット。
【考案を実施するための最良の形態】
【０００６】本考案は、寝たきり病人の下半身を、防水性の有る、下半身洗浄袋を作り袋の中央に下端より腰廻りまで、着脱ファスナ−を装着し、洗浄袋の上端の内面の腰廻り部分に撥水加工した、ウレタンホ−ムを貼付して、腰廻り部分の先端に重ね合わせる持ち出し部分に、面ファスナ−を貼付し、着脱する事が出来る、腰廻りに密着する、下半身洗浄袋下端より腰廻り部分、中央に装着した、着脱ファスナ−より並列に、５センチ程間隔を離し、１０センチ程の長さの、温水洗浄用ホ−ス先端ノズル、手持ち温風機ノズルの、挿入用ファスナ−を装着し下半身を温水洗浄し洗浄袋の排水口に設置した、開閉栓を開き、連結した排水ホ−スを、空気袋を使用したベツトの側面に回し、空気ベットの下に設置した排水受け容器に、排出、洗浄袋の着脱ファスナ−を開き、手持ち温風機を使用下半身を乾燥し、防水性の有る、空気袋を使用したベットを縦に三分割連結し空気袋のベットの下端側面と両側面に設置の、分岐コック付き開閉栓を交互に開閉空気を圧入排出し、洗浄袋の着脱と病人の寝返りが楽に出来、横に三分割連結した中間の空気袋は、尻の部分に隙間が出来る長さにし、中間の空気袋の空気を排出し、オムツ交換が楽に出来る、空気ポンプより、空気を圧入する、空気袋の両側面と下端側面に設置した、逆流防止弁と分岐コック付き開閉栓を設置し、空気を圧入排出する、空気ホ−スを連結使用、尻の下の部分に隙間が出来る事で、オムツ交換が楽に出来る、空気袋を使用した介護用ベット。
【実施例】
【０００７】  以下、貼付図面に従い、実施例を説明します、下半身温水洗浄器に使用した洗浄袋、１の下端より中央に装着した着脱ファスナ−、２に、５センチ程間を離し並列に長さ１０センチ程の、温水洗浄ホ−スノズル、温風機ノズル挿入用３のファスナ−を装着、腰廻り部分内面、４に撥水加工したウレタンホ−スを接着し、持ち出し部分、５に面ファスナ−を貼付し腰廻り部分に密着し、着脱出来る様に、下半身を温水洗浄して、洗浄袋の排水口と開閉栓、６より、排水ホ−ス、７を介し排水容器、８に排水、洗浄袋の着脱ファスナ−を開き手持ち温風機で下半身を温風乾燥し、サウナ効果を得て、下半身を乾燥する洗浄袋を使用し、介護用ベツトの上に装着使用し、寝たきり病人の血液循環を良くする空気袋を使用したベット、９の両側面と下端側面に設置の、１０に縦に三分割連結交互に空気を圧入、寝返りが楽に出来、横に三分割連結した空気袋に空気を圧入するホ−ス、１１を分割連結し、１２の逆流防止弁と分岐コック付開閉栓を、空気ベツトの下端に設置の空気ポンプ、１３を使用、空気ホ−スを連結空気を圧入排出、空気袋を使用した介護用ベツトの下に、１４のマットを敷く。
【産業上の利用可能性】
【０００８】上述の、下半身洗浄袋で、下半身を温水洗浄し、サウナ効果を得、血液循環を良くし、床ずれを防止、病人の寝返りが楽に出来、オムツ交換が楽に出来る、介護人の労力を減少出来る、空気袋使用した介護用ベットの提供。
【図面の簡単な説明】
【０００９】
【図１】  下半身洗浄袋の透視図と腰廻り部分の拡大図、
【図２】  空気袋を使用した介護用ベットの斜視図、
【図３】  縦に三分割し横に三分割連結した空気袋の斜視図、
【符号の説明】
【００１０】１    下半身温水洗浄袋、
２    洗浄袋の中央に装着した着脱ファスナ−、
３    温水、温風ノズル挿入用ファスナ−、
４    腰廻り内面に撥水加工し接着したウレタンホ−ム、
５    持ち出し部分の着脱用  面ファスナ−を貼付した部分、
６    洗浄袋の排水口と開閉栓、
７    排水ホ−ス、
８    排水容器、
９    空気袋を使用した介護用ベット、
１０  縦に三分割連結空気袋と下端側面と両側面に設置した空気ホ−ス、
１１  横に三分割連結した空気袋と下端と両側面に設置した空気ホ−ス、
１２  空気ベットの下端側面と両側面設置した分岐コック付き開閉栓、
１３  空気ポンプ、
１４  空気袋を使用した介護用ベッシの下に敷く敷きマット、
【配列表フリ−テキスト】
【配列表】
参考文献  実用新案登録３１３４８５５  下半身温水洗浄器に使用した下半身洗浄袋の排水口の向きを、横向きに変えて、使用しています。
【図１】
0003143985.tif 000003
【図２】
0003143985.tif 000004
【図３】
0003143985.tif 000005